(57)【要約】【課題】ユーザが危険電話番号へ発信することを防止する。【解決手段】操作部（１０）は、電話番号を入力する操作を受け付け、危険判定部（４１）は、入力された電話番号が所定の危険電話番号であるか否かを判定し、その電話番号が危険電話番号である場合、報知部（４３）は、その電話番号が危険であることを、出力部（５０）を用いて報知する。【選択図】図１
2017108354.tif 000002
【特許請求の範囲】
【請求項１】
電話番号を入力する操作を受け付ける操作部と、
上記操作部に入力された入力電話番号が所定の危険電話番号であるか否かを判定する危険判定部と、
上記入力電話番号は上記危険電話番号であると上記危険判定部が判定した場合、上記入力電話番号が危険であることを報知する報知部と、を備えたことを特徴とする電話機。
【請求項２】
上記入力電話番号に関する特定の動作を実行する動作実行部をさらに備え、
上記入力電話番号は上記危険電話番号であると上記危険判定部が判定した場合、上記動作実行部は、上記特定の動作を中止することを特徴とする請求項１に記載の電話機。
【請求項３】
上記動作実行部が上記特定の動作を中止した場合、上記報知部は、上記特定の動作を中止したことを報知することを特徴とする請求項２に記載の電話機。
【請求項４】
上記危険電話番号は、
(i)当該電話機において応答を拒否した着信の発信元の電話番号、および、
(ii)当該電話機と通信するサーバに登録された迷惑電話の発信元の電話番号
のうち、少なくとも一方を含むことを特徴とする請求項１から３のいずれか１項に記載の電話機。
【請求項５】
電話番号を入力する操作を受け付ける操作受付ステップと、
入力された入力電話番号が所定の危険電話番号であるか否かを判定する危険判定ステップと、
上記危険判定ステップにおいて、上記入力電話番号は上記危険電話番号であると判定した場合、上記入力電話番号が危険であることを報知する報知ステップと、を含むことを特徴とする電話機の制御方法。
【発明の詳細な説明】
【技術分野】
【０００１】
本発明は、ユーザが迷惑電話による被害を受けることを防止する電話機等に関する。
【背景技術】
【０００２】
近年、いたずらや詐欺などを目的とする迷惑電話が問題となっている。そこで、ユーザが迷惑電話による被害を受けることを防止するために、様々な技術が開発されている。例えば、迷惑電話に利用されている電話番号のデータベースから、着信の発信元の電話番号を検索することによって、その着信が迷惑電話であるか否かを判定する電話機が存在する。また、特許文献１には、ユーザの家族や知人の電話番号を登録可能な携帯電話機であって、迷惑電話であると判定された着信の発信元の電話番号を登録することを禁止する携帯電話機が記載されている。
【先行技術文献】
【特許文献】
【０００３】
【特許文献１】特開２００４−１８７０５６号公報（２００４年７月２日公開）
【発明の概要】
【発明が解決しようとする課題】
【０００４】
ユーザは、悪意のある人物から、迷惑電話等に利用されている危険な電話番号（以下では、危険電話番号と略称する）へ電話を掛けるように誘導される場合がある。このような場合、ユーザが、危険電話番号へ電話を掛けると、詐欺などの被害に遭う可能性がある。しかしながら、従来、ユーザが危険電話番号に発信することを防止する技術は存在していなかった。
【０００５】
本発明は、前記の問題点に鑑みてなされたものであり、その目的は、ユーザが危険電話番号へ発信することを防止することにある。
【課題を解決するための手段】
【０００６】
上記の課題を解決するために、本発明の一態様に係る電話機は、電話番号を入力する操作を受け付ける操作部と、上記操作部に入力された入力電話番号が所定の危険電話番号であるか否かを判定する危険判定部と、上記入力電話番号は上記危険電話番号であると上記危険判定部が判定した場合、上記入力電話番号が危険であることを報知する報知部と、を備えている。
【０００７】
また、上記の課題を解決するために、本発明の一態様に係る電話機の制御方法は、電話番号を入力する操作を受け付ける操作受付ステップと、入力された入力電話番号が所定の危険電話番号であるか否かを判定する危険判定ステップと、上記危険判定ステップにおいて、上記入力電話番号は上記危険電話番号であると判定した場合、上記入力電話番号が危険であることを報知する報知ステップと、を含む。
【発明の効果】
【０００８】
本発明の一態様によれば、ユーザが危険電話番号へ発信することを防止することができる。
【図面の簡単な説明】
【０００９】
【図１】実施形態１に係る電話機の構成を示すブロック図である。
【図２】実施形態１に係る電話機が備えた制御部が実行する電話番号検索処理の流れを示すフローチャートである。
【図３】実施形態１に係る電話機およびサーバを備えた通信システムの構成を示す概略図である。
【図４】実施形態２に係る電話番号検索処理の流れを示すフローチャートである。
【図５】実施形態２に係る電話機の構成を示す概略図である。
【発明を実施するための形態】
【００１０】
〔実施形態１〕
以下、本発明の実施の形態について、図１〜図３を用いて詳細に説明する。
【００１１】
（電話機１）
図１を用いて、本実施形態に係る電話機１の構成を説明する。図１は、電話機１の構成を示すブロック図である。図１に示すように、電話機１は、操作部１０、ＤＢ記憶部２０、通信部３０、制御部４０、出力部５０、および回線接続部６０を備えている。
【００１２】
操作部１０は、発信先の電話番号（入力電話番号）を入力したり、着信した電話への応答を拒否したりするためのユーザ操作を受け付ける。操作部１０は、例えば、十字キー、ナンバーキー、応答ボタン、および電源ボタン（応答拒否ボタン）などを含む。また、操作部１０は、マイクを含んでいてもよい。なお、操作部１０は、電話機１の本体（親機）に設けられていてもよいし、本体とは別体の機器（子機）に設けられていてもよい。
【００１３】
ＤＢ記憶部２０は、ローカルデータベースおよびサーバ提供データベースを記憶している。ローカルデータベースには、許可番号リストおよび拒否番号リストが登録されている。許可番号リストは、ユーザが安全であると判断して電話機１に登録した電話番号のリストである。拒否番号リストは、ユーザが応答することを拒否した着信の発信元の電話番号（拒否番号；危険電話番号）のリストである。サーバ提供データベースには、通信部３０がサーバ１００からダウンロードした迷惑番号リストが登録されている。迷惑番号リストは、迷惑電話の発信元の電話番号（迷惑番号；危険電話番号）のリストである。
【００１４】
通信部３０は、サーバ１００と通信し、サーバ１００のデータベースに登録されている迷惑番号リストをダウンロードする。通信部３０の動作は、制御部４０によって制御される。通信部３０とサーバ１００とは、ＬＡＮ（Local Area Network）を介して接続されてもよいし、ＰＳＴＮ（Public Switched Telephone Network）を介して接続されてもよい。
【００１５】
サーバ１００が管理するデータベースに登録されている迷惑番号リストは、定期的または不定期に更新される。通信部３０は、例えば所定期間ごとに、サーバ１００から最新の迷惑番号リストをダウンロードしてよい。通信部３０がダウンロードした迷惑番号リストは、ＤＢ記憶部２０のサーバ提供データベースに登録される。
【００１６】
制御部４０は、電話機１の各部の動作を制御する。また、ユーザが、操作部１０から、発信先の電話番号や登録する電話番号などを入力したとき、制御部４０は、ローカルデータベースおよびサーバ提供データベースから、入力された電話番号（入力電話番号）を検索する電話番号検索処理（後述）を実行する。制御部４０は、危険判定部４１、発信部４２（動作実行部）、報知部４３、登録部４４（動作実行部）、および動作実行禁止部４５を含んでいる。なお、制御部４０の各構成要素が実行する動作については、後述する電話番号検索処理の説明中で説明する。
【００１７】
出力部５０は、ユーザに報知するための各種情報を出力する。出力部５０は、制御部４０によって制御される。出力部５０は、ディスプレイ５１、スピーカ５２、およびＬＥＤ５３を含んでいる。
【００１８】
回線接続部６０は、電話機１の電話回線の開閉（接続／切断）を制御する。回線接続部６０は、制御部４０から、入力電話番号の情報を取得する。そして、ＰＳＴＮを介して、電話機１の電話回線と、入力電話番号によって特定される電話回線とを接続する。
【００１９】
（電話番号検索処理Ａ）
図２を用いて、本実施形態に係る制御部４０が実行する電話番号検索処理Ａの流れを説明する。図２は、電話番号検索処理Ａの流れを示すフローチャートである。ユーザが、操作部１０を用いて、入力電話番号を入力し、発信操作を行ったとき、電話番号検索処理Ａが開始される。
【００２０】
図２に示すように、まず、操作部１０は、入力された入力電話番号の情報を取得する（Ｓ１）。次に、危険判定部４１は、発信操作を受け付けた操作部１０から、入力電話番号への発信操作が入力されたことを検出する（Ｓ２、操作受付ステップ）。その後、電話番号検索処理Ａが開始される。なお、Ｓ２の後、報知部４３は、「入力された電話番号が危険でないか確認中です」または「迷惑電話のデータベースを参照中です」等のメッセージを、ディスプレイ５１に表示してもよい。
【００２１】
危険判定部４１は、ＤＢ記憶部２０のローカルデータベースに登録されている許可番号リストから、入力電話番号と一致する許可番号を検索する。また、危険判定部４１は、ローカルデータベースに登録されている拒否番号リストから、入力電話番号と一致する拒否番号を検索し、検索結果を発信部４２および動作実行禁止部４５に送信する（Ｓ３、危険判定ステップ）。
【００２２】
入力電話番号と一致する許可番号が存在する場合（Ｓ４でＹｅｓ）、入力電話番号は安全である。一方、入力電話番号と一致する拒否番号が存在しない場合（Ｓ４でＮｏ）、入力電話番号は危険である可能性がある。危険判定部４１は、入力電話番号が安全であるか否かについての情報、すなわち、許可番号リストにおいて、入力電話番号と一致する拒否番号がヒットしたか否かについての情報を、発信部４２に通知する。
【００２３】
入力電話番号と一致する許可番号が許可番号リスト中に存在する場合（Ｓ４でＹｅｓ）、発信部４２は、通常の発信動作を実行する（Ｓ５）。そして、発信部４２は、入力電話番号によって特定される他の電話機等の電話回線と、電話機１の電話回線とを接続するよう、回線接続部６０に指示する。なお、Ｓ５の後、報知部４３は、「入力された電話番号が安全であることを確認しました」等のメッセージを、ディスプレイ５１に表示してもよい。
【００２４】
一方、入力電話番号と一致する許可番号が許可番号リスト中に存在しない場合（Ｓ４でＮｏ）であって、入力電話番号と一致する拒否番号が拒否番号リスト中に存在する場合（Ｓ６でＹｅｓ）、動作実行禁止部４５は、発信部４２が発信動作を実行することを禁止する（Ｓ７Ａ）。また、上記の場合（Ｓ４でＮｏかつＳ６でＹｅｓ）、報知部４３は、入力電話番号が危険であることを報知する（Ｓ７Ｂ、報知ステップ）。例えば、報知部４３は、「入力された電話番号へ発信することは危険ですので、発信を中止しました」等のメッセージを出力部５０から出力してよい。ここで、報知部４３は、ディスプレイ５１に上記メッセージを表示してもよいし、スピーカ５２から上記メッセージを音声で出力してもよい。また、報知部４３は、ＬＥＤ５３を、特定の色や点滅パターンで発光させてもよい。あるいは、報知部４３は、ディスプレイ５１、スピーカ５２、ＬＥＤ５３のうち任意の２つ以上を組み合わせて用いて、報知してもよい。
【００２５】
一方、入力電話番号と一致する許可番号が許可番号リスト中に存在しない場合（Ｓ４でＮｏ）であって、入力電話番号と一致する拒否番号が拒否番号リスト中に存在しない場合（Ｓ６でＮｏ）、危険判定部４１は、ＤＢ記憶部２０のサーバ提供データベースに登録されている迷惑番号リストから、入力電話番号と一致する迷惑番号を検索し、検索結果を、発信部４２および動作実行禁止部４５に送信する（Ｓ８）。
【００２６】
危険判定部４１による検索の結果、入力電話番号と一致する迷惑番号が迷惑番号リスト中に存在する場合（すなわち、発信番号が迷惑番号であった場合）（Ｓ９でＹｅｓ）、動作実行禁止部４５は、発信部４２が発信動作を実行することを禁止する（Ｓ７Ａ）。また、報知部４３は、上記メッセージを出力部５０から出力することによって、入力電話番号が危険であることを報知する（Ｓ７Ｂ、報知ステップ）。
【００２７】
一方、入力電話番号と一致する迷惑番号が迷惑番号リスト中に存在しない場合（Ｓ９でＮｏ）、動作実行禁止部４５は、発信部４２が発信動作を実行することを禁止せず、発信部４２は、通常の発信動作を実行する（Ｓ５）。
【００２８】
（変形例１）
一変形例では、電話番号検索処理Ａ（図２参照）のＳ７Ａにおいて、動作実行禁止部４５は、発信部４２が発信動作を実行することを禁止しなくてもよい。本変形例に係る電話機１は、図１に示す電話機１と同じ構成を有していてよいが、動作実行禁止部４５を含んでいる必要はない。
【００２９】
本変形例では、図２に示す電話番号検索処理ＡのＳ７ＡおよびＳ７Ｂの代わりに、報知部４３は、ユーザに対して、危険電話番号（迷惑番号、拒否番号）に発信しようとしていることを警告する。例えば、報知部４３は、「入力された電話番号は、危険である可能性があります。本当に発信してよいですか？」または「入力された電話番号からの着信に対して、応答を拒否したことがあります。入力された電話番号を確認の上、発信の決定またはキャンセルの操作をしてください。」等のメッセージを出力部５０から出力してもよい。また、発信部４２は、報知部４３が上記メッセージを出力し、ユーザが発信を確定する操作を行った後で、入力電話番号へ発信してもよい。
【００３０】
（変形例２）
通信部３０とサーバ１００とが、ＬＡＮを介して接続されている場合、通信部３０は、サーバ１００から迷惑番号リストをダウンロードしなくてもよい。この場合、電話番号検索処理Ａ（図２参照）のＳ８では、危険判定部４１によって、サーバ１００の迷惑電話リストが参照される。本変形例では、通信部３０が迷惑番号リストをサーバ１００からダウンロードしない場合、電話番号検索処理において、どのようにしてサーバ１００の迷惑電話リストが参照されるのかを説明する。
【００３１】
図３は、本変形例に係る電話機１およびサーバ１００を備えた通信システムの構成を示す概略図である。図３に示すように、通信システムは、複数台の電話機１、１ａ、１ｂ、１ｃおよびサーバ１００で構成されている。ここで、電話機１ａ、１ｂ、１ｃは、いずれも、本実施形態１で説明した電話機１と同じ構成を備えている。通信システムにおいて、電話機１、１ａ、１ｂ、１ｃとサーバ１００とは、ＬＡＮを介して接続されている。
【００３２】
図３に示すように、電話機１、１ａ、１ｂ、１ｃに入力電話番号が入力された場合、危険判定部４１は、通信部３０を用いて、その入力電話番号の情報をサーバ１００へ送信する。入力電話番号の情報を受信したサーバ１００は、サーバ１００が管理するデータベースに登録されている迷惑番号リストの中から、受信した入力電話番号と一致する迷惑番号を検索する。このように、本変形例では、電話機１の制御部４０の代わりに、サーバ１００が、迷惑番号の検索処理を実行する。なお、サーバ１００が迷惑番号の検索処理を実行している間、報知部４３は、「入力された電話番号が危険ではないか、確認中です」等のメッセージを出力部５０から出力してもよい。
【００３３】
図３に示すように、サーバ１００による検索結果は、電話機１、１ａ、１ｂ、１ｃの危険判定部４１に送信される。危険判定部４１は、迷惑番号リストにおいて、入力電話番号と一致する迷惑番号がヒットしたか否かについての検索結果を、サーバ１００から取得する。入力電話番号は迷惑番号ではない場合（すなわち、迷惑番号リストにおいて、入力電話番号と一致する迷惑番号がヒットしなかった場合）、発信部４２は、入力電話番号へ発信する。一方、入力電話番号は迷惑番号である場合（すなわち、迷惑番号リストにおいて、入力電話番号と一致する迷惑番号がヒットした場合）、動作実行禁止部４５は、発信部４２が入力電話番号へ発信することを禁止する。
【００３４】
なお、動作実行禁止部４５は、発信部４２が発信動作を実行することを禁止しなくてもよい。この構成では、報知部４３は、ユーザに対して、入力電話番号が危険であることを警告する。例えば、報知部４３は、「あなたが発信しようとしている電話番号は、全国で○×人のユーザが応答を拒否している電話番号です。本当に発信しますか？」等のメッセージを出力部５０から出力してもよい。また、発信部４２は、報知部４３が上記メッセージを出力し、ユーザが発信を確定する操作を行った後で、入力電話番号へ発信してもよい。
【００３５】
〔実施形態２〕
本発明の他の実施形態について、図４に基づいて説明すれば、以下のとおりである。なお、説明の便宜上、前記実施形態にて説明した部材と同じ機能を有する部材については、同じ符号を付記し、その説明を省略する。
【００３６】
電話番号検索処理は、操作部１０から任意の電話番号が入力された場合に実行されてよい。本実施形態では、電話機１に登録する電話番号（入力電話番号）が入力された場合の電話番号検索処理を説明する。
【００３７】
（電話番号検索処理Ｂ）
図４を用いて、本実施形態に係る制御部４０が実行する電話番号検索処理Ｂの流れを説明する。図４は、電話番号検索処理Ｂの流れを示すフローチャートである。ユーザが、操作部１０を用いて、電話機１に登録する電話番号（入力電話番号）を入力し、入力を決定する操作を行ったとき、電話番号検索処理Ｂが開始される。
【００３８】
図４に示すように、まず、操作部１０は、入力された入力電話番号の情報を取得する（Ｓ２０１）。次に、危険判定部４１は、入力を決定する操作を受け付けた操作部１０から、入力電話番号の登録操作が入力されたことを検出する（Ｓ２０２）。その後、電話番号検索処理Ｂが開始される。
【００３９】
危険判定部４１は、ＤＢ記憶部２０のローカルデータベースに登録されている許可番号リストから、入力電話番号と一致する許可番号を検索する。また、危険判定部４１は、ローカルデータベースに登録されている拒否番号リストから、入力電話番号と一致する拒否番号を検索する。そして、検索結果を発信部４２および動作実行禁止部４５に送信する（Ｓ２０３、危険判定ステップ）。
【００４０】
入力電話番号と一致する許可番号が許可番号リスト中に存在する場合（Ｓ２０４でＹｅｓ）、登録部４４は、通常の登録動作を実行する（Ｓ２０５）。すなわち、登録部４４は、ＤＢ記憶部２０の許可番号リストに、入力電話番号の情報を追加する。
【００４１】
一方、入力電話番号と一致する許可番号が許可番号リスト中に存在しない場合（Ｓ２０４でＮｏ）であって、入力電話番号と一致する拒否番号が拒否番号リスト中に存在する場合（Ｓ２０６でＹｅｓ）、動作実行禁止部４５は、登録部４４が登録動作を実行することを禁止する（Ｓ２０７Ａ）。また、上記の場合（Ｓ２０６でＹｅｓ）、報知部４３は、例えば、「入力された電話番号は危険ですので、この電話番号を登録することはできません」等のメッセージを出力部５０から出力してよい。報知部４３は、ディスプレイ５１に上記メッセージを表示してもよいし、スピーカ５２から上記メッセージを音声で出力してもよい。また、報知部４３は、ＬＥＤ５３を、特定の色や点滅パターンで発光させてもよい。あるいは、報知部４３は、ディスプレイ５１、スピーカ５２、ＬＥＤ５３のうち任意の２つ以上を組み合わせて用いて、報知してもよい。
【００４２】
一方、入力電話番号と一致する許可番号が許可番号リスト中に存在しない場合（Ｓ２０４でＮｏ）であって、入力電話番号と一致する拒否番号が拒否番号リスト中にも存在しない場合（Ｓ２０６でＮｏ）、危険判定部４１は、ＤＢ記憶部２０のサーバ提供データベースに登録されている迷惑番号リストから、入力電話番号と一致する迷惑番号を検索する（Ｓ２０８）。
【００４３】
次に、危険判定部４１は、入力電話番号と一致する迷惑番号が存在するか否か（すなわち、入力電話番号は危険電話番号であるか否か）を示す判定結果を、登録部４４および動作実行禁止部４５に送信する。
【００４４】
入力電話番号と一致する迷惑番号が迷惑番号リスト中に存在する場合（Ｓ２０９でＹｅｓ）、動作実行禁止部４５は、登録部４４が登録動作を実行することを禁止する（Ｓ２０７Ａ）。また、報知部４３は、入力電話番号が危険であることを報知する（Ｓ２０７Ｂ、報知ステップ）。
【００４５】
一方、入力電話番号と一致する迷惑番号が迷惑番号リスト中に存在しない場合（Ｓ２０９でＮｏ）、登録部４４は、前述したように、通常の登録動作を実行する（Ｓ２０５）。
【００４６】
（変形例）
一変形例では、電話番号検索処理Ｂ（図４参照）のＳ２０７Ａにおいて、動作実行禁止部４５は、登録部４４が登録動作を実行することを禁止しなくてもよい。本変形例では、報知部４３は、ユーザに対して、危険電話番号（迷惑番号、拒否番号）を登録しようとしていることを警告する。また、登録部４４は、報知部４３が上記メッセージを出力し、ユーザが登録を確定する操作を行った後で、入力電話番号を登録してもよい。
【００４７】
〔実施形態３〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００４８】
本実施形態では、電話機１の子機（すなわち、電話機１の本体（親機）とは別体の端末）で発信操作または登録操作が入力された場合、どのようにして電話番号検索処理が実行されるのかを説明する。
【００４９】
（電話機２）
図５は、本実施形態に係る電話機２の構成を示す概略図である。図５に示すように、電話機２は、親機２Ａおよび子機２Ｂを備えている。親機２Ａは、前記実施形態１で説明した電話機１の構成要素に加えて、子機２Ｂと通信するための親機側無線通信部（図示せず）を備えている。親機２Ａは、ＬＡＮを介して、サーバ１００と通信可能である。子機２Ｂは、電話機１の操作部１０および出力部５０に対応する構成要素に加えて、親機２Ａと通信するための子機側無線通信部（図示せず）を備えている。
【００５０】
子機２Ｂは、操作部１０に対する発信操作または登録操作を受け付けた場合、入力された入力電話番号の情報を、ＤＥＣＴ（Digital Enhanced Cordless Telecommunications）通信によって、親機２Ａに送信する。親機２Ａの制御部４０は、子機２Ｂから受信した入力電話番号の情報を用いて、前記実施形態１および２で説明した電話番号検索処理を実行する。なお、本実施形態１、２の電話番号検索処理では、入力電話番号（発信先の電話番号、登録する電話番号）の情報は、親機２Ａからサーバ１００に送信されて、サーバ１００において、入力電話番号と一致する迷惑番号が検索されてもよい。この構成では、サーバ１００は、迷惑電話リストにおいて、入力電話番号と一致する迷惑番号がヒットしたか否かを示す検索結果を、電話機２に送信する。
【００５１】
（変形例）
一変形例では、電話機２の子機２Ｂは、ＤＢ記憶部２０および制御部４０に対応する各構成要素をさらに備えており、子機２ＢのＤＢ記憶部２０には、親機２ＡのＤＢ記憶部２０に記憶されている許可番号リストおよび拒否番号リストとは異なる許可番号リストおよび拒否番号リストが記憶されていてもよい。この構成では、子機２Ｂに入力電話番号が入力された場合、子機２Ｂの制御部４０が、子機２ＢのＤＢ記憶部２０を参照して、電話番号検索処理を実行してよい。
【００５２】
〔ソフトウェアによる実現例〕
電話機１の制御部４０は、集積回路（ＩＣチップ）等に形成された論理回路（ハードウェア）によって実現してもよいし、ＣＰＵ（Central Processing Unit）を用いてソフトウェアによって実現してもよい。
【００５３】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５４】
〔まとめ〕
本発明の態様１に係る電話機（１、２）は、電話番号を入力する操作を受け付ける操作部（１０）と、上記操作部に入力された入力電話番号が所定の危険電話番号であるか否かを判定する危険判定部（４１）と、上記入力電話番号は上記危険電話番号であると上記危険判定部が判定した場合、上記入力電話番号が危険であることを報知する報知部（４３）と、を備えている。
【００５５】
上記の構成によれば、入力電話番号が所定の危険電話番号である場合、その入力電話番号は危険であることが報知される。そのため、ユーザは、報知に基づいて、入力電話番号が危険であることを知って、発信を止める判断をすることができる。また、報知がない場合、ユーザは、入力電話番号が危険でないことを知った上で、安心して、入力電話番号に関する操作をすることができる。
【００５６】
本発明の態様２に係る電話機は、上記態様１において、上記入力電話番号に関する特定の動作を実行する動作実行部（発信部４２、登録部４４）をさらに備え、上記入力電話番号は上記危険電話番号であると上記危険判定部が判定した場合、上記動作実行部は、上記特定の動作を中止してもよい。
【００５７】
上記の構成によれば、危険電話番号に関する特定の動作が実行されることを防止することができる。特定の動作は、例えば、入力電話番号によって特定される発信先の電話機へ発信することや、入力電話番号を電話機に登録することなどを含む。
【００５８】
本発明の態様３に係る電話機は、上記態様２において、上記動作実行部が上記特定の動作を中止した場合、上記報知部は、上記特定の動作を中止したことを報知してもよい。
【００５９】
上記の構成によれば、入力電話番号に関する特定の動作を中止したことを、ユーザに知らせることができる。
【００６０】
本発明の態様４に係る電話機は、上記態様１から３のいずれかにおいて、上記危険電話番号は、(i)当該電話機において応答を拒否した着信の発信元の電話番号、および、(ii)当該電話機と通信するサーバに登録された迷惑電話の発信元の電話番号のうち、少なくとも一方を含んでいてもよい。
【００６１】
上記の構成によれば、入力電話番号が、上記(i)または(ii)の電話番号である場合に、その入力電話番号が危険であることを報知することができる。
【００６２】
本発明の態様５に係る電話機は、上記態様１から３のいずれかにおいて、上記危険電話番号が登録されたサーバと通信する通信部をさらに備え、上記入力電話番号が上記操作部へ入力されたとき、上記通信部は、上記入力電話番号の情報を上記サーバに送信し、上記危険判定部は、上記入力電話番号が上記サーバに登録されているか否かを示す検索結果を、上記サーバから取得してもよい。
【００６３】
上記の構成によれば、危険判定部は、サーバから取得した検索結果に基づいて、入力電話番号が危険電話番号であるか否かを判定することができる。
【００６４】
本発明の態様６に係る通信システムは、上記態様１から５のいずれかの電話機と、迷惑電話の発信元の電話番号の情報を、上記危険電話番号の情報として、上記電話機に提供するサーバと、を備えていてもよい。上記の構成によれば、上記態様１から４のいずれかの電話機と同様の効果を奏する。
【００６５】
本発明の態様７に係る電話機の制御方法は、電話番号を入力する操作を受け付ける操作受付ステップと、入力された入力電話番号が所定の危険電話番号であるか否かを判定する危険判定ステップと、上記危険判定ステップにおいて、上記入力電話番号は上記危険電話番号であると判定した場合、上記入力電話番号が危険であることを報知する報知ステップと、を含む。上記の構成によれば、上記態様１の電話機と同様の効果を奏する。
【００６６】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６８】
１  電話機
２  電話機
１０  操作部
４１  危険判定部
４２  発信部（動作実行部）
４３  報知部
４４  登録部（動作実行部）
【図１】
2017108354.tif 000003
【図２】
2017108354.tif 000004
【図３】
2017108354.tif 000005
【図４】
2017108354.tif 000006
【図５】
2017108354.tif 000007